(57)【要約】【課題】展示物の高さ位置と水平方向の向きを調整可能であるとともに、複数の展示物を同じ高さに陳列する場合の作業を容易にする工夫がなされた展示スタンドを提供する。【解決手段】透明な円筒状の支持筒２と、支持筒２の内径よりも小さな外径の円筒状の第１スライド構成体３１を有するものであって、第１スライド構成体３１が支持筒２内にスライド可能かつ回転可能に挿入されたスライド部材３と、展示物がセットされる置台４と、スライド部材３を支持筒２に固定する第１ねじ７１とを備え、第１スライド構成体３１は、外周の周方向に延在した、第１円周溝３３ａと第２円周溝３３ｂとを上下方向に間隔をあけて有するものであり、第１ねじ７１は、支持筒２の半径方向に貫通した第１孔２ａに挿通され、第１円周溝３３ａと第２円周溝３３ｂのいずれか一方の表面に当接してスライド部材３を固定するものである。【選択図】図２
2019025183.tif 000002
【特許請求の範囲】
【請求項１】
透明な円筒状の支持筒と、
前記支持筒の内径よりも小さな外径の、円筒状又は円柱状の部分を有するものであって、該部分が該支持筒内にスライド可能かつ回転可能に挿入されたスライド部材と、
前記スライド部材の上端側部分に取り付けられ、展示物がセットされる展示部と、
前記スライド部材を前記支持筒に固定する固定部材と、を備え、
前記スライド部材は、前記部分の外周の周方向に延在した円周溝を上下方向に間隔をあけて複数有するものであり、
前記支持筒は、半径方向に貫通した孔を有するものであり、
前記固定部材は、前記孔に挿通され、複数の前記円周溝から選択された該円周溝の表面に当接して前記スライド部材を固定するものであることを特徴とする展示スタンド。
【請求項２】
前記スライド部材は、アクリル樹脂からなるものであり、
前記円周溝の表面は、擦りガラス状の粗面であることを特徴とする請求項１記載の展示スタンド。
【請求項３】
前記円周溝は、幅方向の中央部分が、該幅方向の両側部分よりも大径となる底面を有するものであることを特徴とする請求項１又は２記載の展示スタンド。
【請求項４】
前記円周溝は、アサリを有する鋸刃で切削することで形成されたものであることを特徴とする請求項３記載の展示スタンド。
【請求項５】
前記孔は、内周にねじ溝が形成されたものであり、
前記固定部材は、ねじであり、
前記支持筒の外周面には、前記孔につながるナットが設けられたものであり、
前記ナットは、ねじ溝が、前記孔のねじ溝と連続するものであることを特徴とする請求項１〜４のうちいずれか１項記載の展示スタンド。
【発明の詳細な説明】
【技術分野】
【０００１】
本発明は、展示物を陳列する展示スタンドに関する。
【背景技術】
【０００２】
展示会やショールーム、店舗等において、菓子等の展示物を所定の高さに陳列するための展示スタンドが利用されている。この展示スタンドは、カウンター等の設置部に設置される底板と、この底板に立設した支持部と、支持部の上端部分に取り付けられ、展示物をセットする置台等の展示部を備えたものが一般的に用いられている。また、展示部に展示物がセットされた展示スタンドを複数並べることで、所定の高さに複数の展示物が陳列される。この展示スタンドには、展示物の高さ位置を調節可能なものが各種提案されている（例えば、特許文献１や特許文献２等参照）。
【０００３】
特許文献１に記載された展示スタンドは、支持筒と、この支持筒内にスライド可能に挿入されるスライド柱と、スライド柱を支持筒内に挿入した状態でねじ止めすることで支持筒にスライド柱を固定する調整筒とを備えている。この展示スタンドでは、下方から調整筒が挿入された状態のスライド柱を支持筒内に挿入し、スライド柱を所望の高さに合わせて調整筒を支持筒にねじ止め固定することによって、スライド柱の高さ位置を調整することができる。これにより、展示部の高さ位置を調整し、展示部にセットされた展示物の高さ位置も調整することができる。
【０００４】
特許文献２に記載された展示スタンドは、底板に立設したパイプと、展示物がセットされる展示部としてのパイプと、中間パイプと、これらパイプを接続する複数の自在継手とを備えている。この展示スタンドでは、自在継手によって各パイプの固定位置を変更することによって展示物の高さ位置を調整することができる。
【先行技術文献】
【特許文献】
【０００５】
【特許文献１】特開２０１２−０８５７９３号公報
【特許文献２】特開２００２−１７７１０７号公報
【発明の概要】
【発明が解決しようとする課題】
【０００６】
しかしながら、特許文献１に記載された展示スタンドは、展示物の高さ位置を所望の高さに細かく調整することができるものの、展示物の高さ位置を所定の高さに調整するためには、支持筒に対してスライド柱を所望の高さに調整する繊細な作業が必要になる。また、特許文献２に記載された展示スタンドにおいても、展示物の高さ位置を所定の高さに調整するためには、自在継手による各パイプの固定位置の繊細な調整が必要になる。このため、複数の展示物を同じ高さに陳列したい場合には、複数の展示スタントそれぞれの展示部の高さ位置を一致させる作業が繁雑になってしまう。特に、展示会等、限られた狭いスペースで展示物を陳列する場合の作業は困難となる。
【０００７】
本発明は上記事情に鑑み、展示物の高さ位置と水平方向の向きを調整可能であるとともに、複数の展示物を同じ高さに陳列する場合の作業を容易にする工夫がなされた展示スタンドを提供することを目的とする。
【課題を解決するための手段】
【０００８】
前記目的を解決する本発明の展示スタンドは、透明な円筒状の支持筒と、
前記支持筒の内径よりも小さな外径の、円筒状又は円柱状の部分を有するものであって、該部分が該支持筒内にスライド可能かつ回転可能に挿入されたスライド部材と、
前記スライド部材の上端側部分に取り付けられ、展示物がセットされる展示部と、
前記スライド部材を前記支持筒に固定する固定部材と、を備え、
前記スライド部材は、前記部分の外周の周方向に延在した円周溝を上下方向に間隔をあけて複数有するものであり、
前記支持筒は、半径方向に貫通した孔を有するものであり、
前記固定部材は、前記孔に挿通され、複数の前記円周溝から選択された円周溝の表面に当接して前記スライド部材を固定するものであることを特徴とする。
【０００９】
ここで、前記支持筒は、アクリル樹脂、ポリカーボネート樹脂、塩化ビニル樹脂、ポリエチレンテレフタレート樹脂等によって構成されたものであってもよい。
【００１０】
また、前記支持筒は、カウンター等に設置される底板に立設したものであってもよい。また、前記展示部は、展示物を載置する置台であってもよいし、展示物を固定する固定手段を有するものであってもよい。また、展示部は、展示物を収容する容器状のものであってもよい。
【００１１】
さらに、前記スライド部材は、アクリル樹脂等で構成された透明なものであってもよい。また、前記スライド部材は、円筒状又は円柱状の一体のものであってもよいし、それぞれが前記複数の円周溝を有し、外径が異なる複数のスライド構成体から構成されるものであってもよい。前記スライド部材が複数のスライド構成体から構成される態様では、外径の大きなスライド構成体内に外径の小さなスライド構成体を順次挿入するテレスコピック構造を採用し、該スライド構成体それぞれにも半径方向に貫通した孔を設けて、該孔に挿通した固定部材を前記円周溝の表面に当接させて該スライド構成体どうしを固定してもよい。また、この態様では、外径が最も大きいスライド構成体が前記支持筒に固定され、外径が最も小さいスライド構成体は、前記孔を省略し、前記展示部が取り付けられる。
【００１２】
本発明の展示スタンドによれば、前記固定部材を、複数の前記円周溝から選択された該円周溝の表面に当接させて前記スライド部材を前記支持筒に固定することによって、前記展示部が所定の高さに設定され、該展示部にセットされた展示物も所定の高さに展示することができる。このため、複数の前記展示スタンドを並べて複数の展示物を陳列する場合において、複数の該展示スタンドそれぞれにおいて、同じ前記円周溝に前記固定部材を当接させて固定すれば陳列する展示物の高さ位置を揃えることができ作業が容易になる。特に、前記支持筒が透明なものであるため、該支持筒内に前記スライド部材が挿入された状態で前記円周溝が視認でき、作業がより容易になる。さらに、前記スライド部材や前記展示部も透明なもので構成すれば、全体的に清涼感のあるイメージとなるとともに、展示物を引き立たせることが可能になる。また、前記円周溝が、前記スライド部材の周方向に延在しているため、該スライド部材を前記支持筒に対して回転させても前記固定部材を該円周溝に当接して固定することができ、前記展示部にセットされた展示物の水平方向の向きも調整することができる。なお、陳列する複数の展示物の高さ位置を揃える必要がない場合等には、前記固定部材を前記スライド部材の外周に当接させて該スライド部材を前記支持筒に固定すれば、展示物の高さ位置の細かな調整も可能である。
【００１３】
本発明の展示スタンドにおいて、前記スライド部材は、アクリル樹脂からなるものであり、
前記円周溝の表面は、擦りガラス状の粗面であることが好ましい。
【００１４】
この態様とすれば、前記スライド部材がアクリル樹脂からなるものであっても、前記固定部材が当接した際に前記円周溝に生じた傷等を目立たなくすることができる。
【００１５】
また、本発明の展示スタンドにおいて、前記円周溝は、幅方向の中央部分が、該幅方向の両側部分よりも大径となる底面を有するものであることが好ましい。
【００１６】
ここで、前記円周溝の幅方向とは、上下方向に一致する方向をいう。
【００１７】
例えば、前記固定部材がねじである場合には、ねじの先端が、前記円周溝における、前記中央部分に接触しやすくなる。このため、例えば円周溝の底面が、いわゆるＶ溝や平面状に形成されている場合と比べ、該ねじの締付力を弱くしても前記スライド部材を前記支持筒に良好に固定することができる。これにより、前記ねじが前記円周溝に当接した際に傷が生じにくくなる。
【００１８】
さらに、本発明の展示スタンドにおいて、前記円周溝は、アサリを有する鋸刃で切削することで形成されたものであってもよい。
【００１９】
この態様を採用すれば、前記中央部分が前記両側部分よりも大径となる前記底面を容易に形成することができる。
【００２０】
また、本発明の展示スタンドにおいて、前記孔は、内周にねじ溝が形成されたものであり、
前記固定部材は、ねじであり、
前記支持筒の外周面には、前記孔につながるナットが設けられたものであり、
前記ナットは、ねじ溝が、前記孔のねじ溝と連続するものである態様も好ましい態様の一つである。
【００２１】
こうすることで、前記孔のねじ溝が潰れにくくなり、前記支持筒を例えばアクリル樹脂で構成した場合であっても該支持筒の薄肉化が可能になる。また、前記ナットと前記孔それぞれのねじ溝が連続するため、前記ねじをスムーズに螺合させることができる。
【発明の効果】
【００２２】
本発明によれば、展示物の高さ位置と水平方向の向きを調整可能であるとともに、複数の展示物を同じ高さに陳列する場合の作業を容易にする工夫がなされた展示スタンドを提供することができる。
【図面の簡単な説明】
【００２３】
【図１】本発明の展示スタンドの一実施形態を分解して示す側面図である。
【図２】図１に示す分解した展示スタンドを組み立てて前方から見た正面図である。
【図３】図２に示す展示スタンドを複数並べ、高さを揃えて展示物を陳列する状態を説明する図である。
【図４】図２に示す展示スタンドの、置台の高さと傾きを変更した状態を示す図である。
【図５】（ａ）は、図２に示す展示スタンドの一点鎖線の円で囲んだＡ部を拡大して示す図であり、（ｂ）は、（ａ）に示す第２円周溝の形成方法を概念的に示す図である。
【図６】図５（ａ）に示す第１ナットを、図５（ａ）に示す支持筒に固定する方法を概念的に示す図である。
【発明を実施するための形態】
【００２４】
本発明の展示スタンドは、展示会やショールーム、店舗等において、展示物を展示したり、複数の展示物を陳列するために利用されるものである。展示物は特に限定されるものではないが、菓子等の食品、食品等のサンプル、靴、鞄、書籍、アクセサリー、携帯情報端末等を例示することができる。
【００２５】
以下、図面を参照して本発明の実施の形態を説明する。
【００２６】
図１は、本発明の展示スタンドの一実施形態を分解して示す側面図である。この図１では、図の右側が前方になり、図の左側が後方になり、紙面と直交する方向が左右方向になる。図２は、図１に示す分解した展示スタンドを組み立てて前方から見た正面図である。図２では、紙面と直交する方向が前後方向になる。以下の説明では、図１及び図２を基準に、前後左右の各方向を用いるものとする。
【００２７】
図１及び図２に示すように、展示スタンド１は、支持筒２と、スライド部材３と、展示部としての置台４と、固定部材としての第１ねじ７１及び第２ねじ７２とを備えている。本実施形態では、支持筒２、スライド部材３および置台４は、アクリル樹脂で構成され、詳しくは後述する円周溝等を除いて透明なものである。これにより、全体的に清涼感のあるイメージとなるとともに、展示物を引き立たせることが可能になる。なお、これら支持筒２等は透明であるため、図面では、支持筒２やスライド部材３の内周面２１，３１１，３２３１、及び第１貫通孔３２５ａ（図２参照）等の各種の孔を点線で示し、外形形状は他の透明な部材に重なっていても、便宜上、実線で示している。
【００２８】
支持筒２は、円筒状のものであり、本実施形態では、カウンター等の設置部Ｐに設置される底板８に立設している。この底板８は、左右方向に長い平面視長方形の板材である。なお、底板８は、省略してもよい。
【００２９】
図２に示すように、支持筒２の上端寄りの部分には、外周面２２と内周面２１とを貫通した第１孔２ａが形成されている。この第１孔２ａは、内周にねじ溝が形成されたものであり、支持筒２の半径方向に貫通した孔である。また、支持筒２の外周面２２には、第１孔２ａにつながる第１ナット９１が固定されている。本実施形態の第１ナット９１は、アクリル樹脂系の素材によって構成された透明なものである。なお、第１ナット９１は、ポリカーボネート樹脂等で構成されたものであってもよいし、白色等の不透明なものであってもよい。また、第１ナット９１は、そのねじ溝が、第１孔２ａのねじ溝と連続している。この第１ナット９１の固定方法の詳細は後述する。これら第１孔２ａおよび第１ナット９１には、固定部材としての第１ねじ７１が螺合されている。この第１ねじ７１は、アクリル樹脂で構成された透明なものを用いてもよいが、本実施形態では、コスト等を考慮し、金属製のねじ部７１１と、樹脂製の白色の頭部７１２を有する第１ねじ７１を採用している。
【００３０】
スライド部材３は、第１スライド構成体３１と、第２スライド構成体３２によって構成されている。第１スライド構成体３１は、支持筒２の内径よりもやや小さな外径の円筒状のものであり、上下方向に所定の間隔をあけて、第１円周溝３３ａと第２円周溝３３ｂが形成されている。この第１スライド構成体３１が、本発明における、円筒状又は円柱状の部分の一例に相当する。第１円周溝３３ａと第２円周溝３３ｂは、本発明における、複数の円周溝の一例に相当し、第１スライド構成体３１の外周における周方向に延在したものである。第１円周溝３３ａが、第１スライド構成体３１における上下方向の中央付近に形成され、第２円周溝３３ｂが、第１スライド構成体３１における下端側寄りに形成されている。また、第１円周溝３３ａと第２円周溝３３ｂは、切削加工により形成され、その表面が擦りガラス状の粗面になっている。なお、図面では、これら擦りガラス状の粗面を、網掛けして示している。
【００３１】
この第１スライド構成体３１にも、支持筒２の第１孔２ａと同じ構成の第２孔３１ａが形成されるとともに、第１ナット９１と同じ構成の第２ナット９２が設けられ、これら第２孔３１ａおよび第２ナット９２には、支持筒２にねじ込まれた第１ねじ７１と同じ構成の第２ねじ７２が螺合されている。
【００３２】
第２スライド構成体３２は、第１スライド構成体３１の内径よりもやや小さな外径の円筒状の本体３２３の上端が天板３２４によって閉鎖されたものである。なお、第２スライド構成体３２は、本体３２３を円柱状に形成し、天板３２４を省略してもよい。
【００３３】
また、第２スライド構成体３２の本体３２３には、第１円周溝３３ａ及び第２円周溝３３ｂと同じ構成の第３円周溝３３ｃ及び第４円周溝３３ｄが形成されている。以下、第１円周溝３３ａ、第２円周溝３３ｂ、第３円周溝３３ｃ及び第４円周溝３３ｄそれぞれを区別する必要がない場合は、円周溝３３と総称する場合がある。
【００３４】
また、第２スライド構成体３２は、天板３２４から上方に突出した矩形板状の取付片３２５が前後方向に延在した状態で設けられている。この取付片３２５には、左右方向に貫通した第１貫通孔３２５ａが形成されている。
【００３５】
置台４は、展示物がセットされる部材であり、長方形の板材からなる本体部４１と、図１に示すように、本体部４１の下端部分に、本体部４１の前側となるおもて面４１ａに対して略直角に固定された支持片４２と、図１及び図２に示すように、本体部４１の裏面４１ｂにおける上下方向の中間部分に左右に並べて設けられた一対の被取付片４３とを有している。一対の被取付片４３それぞれには、左右方向に貫通した第２貫通孔４３ａが形成されている。
【００３６】
また、展示スタンド１は、第２スライド構成体３２に置台４を取り付ける、大ねじ５１と蝶ナット５２を備えている。大ねじ５１は、金属製のねじ部５１１と、樹脂製の白色の頭部５１２とを有するものであり、蝶ナット５２は、樹脂製の白色のものである。本実施形態の大ねじ５１は、その頭部５１２が、第１ねじ７１の頭部７１２や第２ねじ７２の頭部よりも大きく、蝶ナット５２も比較的大きめなものを採用している。これは、第１ねじ７１や第２ねじ７２は片手で締めたり弛めたりできるのに対し、蝶ナット５２を片手で押えながら、もう一方の手で大ねじ７１を操作する作業がやりにくい点を考慮したものである。
【００３７】
図２に示す、組み立てられた展示スタンド１では、支持筒２内に第１スライド構成体３１がスライド可能かつ回転可能に挿入されている。また、第１スライド構成体３１の第１円周溝３３ａと第２円周溝３３ｂのうちから選択された第２円周溝３３ｂに第１ねじ７１の先端を当接させることで支持筒２に第１スライド構成体３１が固定されている。さらに、第１スライド構成体３１内に第２スライド構成体３２がスライド可能かつ回転可能に挿入されている。また、第２スライド構成体３２の第３円周溝３３ｃと第４円周溝３３ｄのうちから選択された第４円周溝３３ｄに第２ねじ７２の先端を当接させることで第１スライド構成体３１に第２スライド構成体３２が固定されている。
【００３８】
さらに、取付片３２５の第１貫通孔３２５ａと、一対の被取付片４３それぞれの第２貫通孔４３ａに大ねじ５１が挿通され蝶ナット５２と螺合されることで、第２スライド構成体３２に対して置台４が所定の傾きで固定されている。一般的に、置台４は、本体部４１のおもて面４１ａ（図１参照）が、上方に向かうに従い後方になるように傾斜した姿勢で第２スライド構成体３２に固定され、おもて面４１ａと支持片４２とで支持された状態で展示物がセットされる。
【００３９】
ここで、第１ねじ７１や第２ねじ７２が当接すると、円周溝３３に傷が付いてしまう場合がある。特に、支持筒２、第１スライド構成体３１及び第２スライド構成体３２は透明であり、円周溝３３が外部から視認されやすく、円周溝３３に付いた傷が目立ってしまうことが懸念される。しかしながら、本実施形態では、円周溝３３の表面は、擦りガラス状の粗面であるため、傷が付いた場合であっても目立ちにくく意匠性の低下を防ぐことができる。また、円周溝３３が外部から視認できることにより、第１ねじ７１や第２ねじ７２を円周溝３３に当接させやすいといった効果も奏する。さらに、第１スライド構成体３１及び第２スライド構成体３２は、透明な部分と擦りガラス状の部分とのコントラストによって、デザイン的な面白さを醸し出すこともできる。
【００４０】
第１ねじ７１を弛めることにより、支持筒２に対して第１スライド構成体３１を上下方向にスライドさせることができ、第１スライド構成体３１を下方にスライドさせて第１ねじ７１を第１円周溝３３ａに当接させて固定することができる。また、第１ねじ７１を弛めて第１スライド構成体３１を水平方向に回転させた後、再び第１ねじ７１を第２円周溝３３ｂに当接させて固定すれば、置台４が水平方向において回転し、置台４にセットした展示物の左右方向の向きを調整することもできる。
【００４１】
また同様に、第２ねじ７２を弛めることにより、第１スライド構成体３１に対して第２スライド構成体３２を上下方向にスライドさせることができ、第２スライド構成体３２を水平方向において回転させ、置台４にセットした展示物の左右方向の向きを調整することもできる。なお、本実施形態では、第１スライド構成体３１と第２スライド構成体３２の両方を水平方向において回転可能な態様を採用したが、例えば、第２スライド構成体３２の本体３２３を、角筒状や角柱状に形成し、第２スライド構成体３２については、第１スライド構成体３１に対して回転しない態様としてもよい。なお、大ねじ５１を弛めて、大ねじ５１を中心として置台４を回動させることによって、置台４にセットした展示物の前後方向の傾きを調整することもできる。
【００４２】
本実施形態では、第１スライド構成体３１の２つの円周溝３３と、第２スライド構成体３２の２つの円周溝３３とを有しており、第１ねじ７１を当接させる円周溝３３と、第２ねじ７２を当接させる円周溝３３との組み合わせにより、置台４を４通りの規定の高さに変更することができる。なお、変更する規定の高さのパターンを増やしたい場合には、円周溝３３を増やせばよい。
【００４３】
図３は、図２に示す展示スタンドを複数並べ、高さを揃えて展示物を陳列する状態を説明する図である。
【００４４】
図３（ａ）では、前述した４通りの規定の高さのうち最も高い高さに揃えた様子を示している。具体的には、図２に示す展示スタンド１と同様に、第１ねじ７１を第２円周溝３３ｂに当接させて支持筒２に第１スライド構成体３１を固定するとともに、第２ねじ７２を第４円周溝３３ｄに当接させて第１スライド構成体３１に第２スライド構成体３２を固定している。
【００４５】
図３（ｂ）では、前述した４通りの規定の高さのうち最も低い高さに揃えた様子を示している。具体的には、第１ねじ７１を第１円周溝３３ａに当接させて支持筒２に第１スライド構成体３１を固定するとともに、第２ねじ７２を第３円周溝３３ｃに当接させて第１スライド構成体３１に第２スライド構成体３２を固定している。
【００４６】
これらのように、複数の展示スタンド１それぞれにおいて、第１ねじ７１及び第２ねじ７２を同じ円周溝３３に当接させて固定するだけで陳列する展示物の高さを揃えることができ作業が容易になる。
【００４７】
図４は、図２に示す展示スタンド１の、置台４の高さと傾きを変更した状態を示す図である。
【００４８】
図４に示す展示スタンド１では、第２ねじ７２を第３円周溝３３ｃに当接させて固定するとともに、第１ねじ７１を第１円周溝３３ａと第２円周溝３３ｂとの間の外周面３１２に当接させて固定している。このように、第１ねじ７１を第１スライド構成体３１の外周面３１２に当接させて固定し、あるいは第２ねじ７２を、第２スライド構成体３２の本体３２３における外周面３２３２に当接させて固定することによって、規定の高さ以外の細かな高さ調整も可能である。この細かな調整は、特に、陳列する展示物の高さを揃える必要がない場合や、展示物を単独で展示する場合等の高さ調整に有効となる。
【００４９】
なお、図４では、置台４の傾きが、本体部４１のおもて面４１ａ（図１参照）が水平となる状態に調整した様子を示している。
【００５０】
次いで、円周溝３３の構成を詳細に説明する。
【００５１】
図５（ａ）は、図２に示す展示スタンド１の一点鎖線の円で囲んだＡ部を拡大して示す図であり、この図５（ａ）では、支持筒２と第１ナット９１については、垂直に断面して示している。
【００５２】
円周溝３３は、いわゆるＶ溝や平面状の底面とする態様も可能であるが、本実施形態では、図５（ａ）に示すように、第２円周溝３３ｂの底面３３１は、上下方向に一致する幅方向の中央部分３３１ａが、幅方向の両側部分３３１ｂよりも大径に形成されている。これにより、第１ねじ７１のねじ部７１１の先端が中央部分３３１ａに当接し、第１ねじ７１の締付力を弱くしても第１スライド構成体３１を支持筒２に良好に固定することができる。この結果、円周溝が、いわゆるＶ溝や平面状の底面である態様と比べて、第１ねじ７１が第２円周溝３３ｂに当接した際の傷が生じにくくなる。なお、第２円周溝３３ｂ以外の円周溝３３も、構成は同じであるため説明は省略する。
【００５３】
図５（ｂ）は、同図（ａ）に示す第２円周溝３３ｂの形成方法を概念的に示す図である。本実施形態では、第２円周溝３３ｂを、鋸刃としての丸鋸を用いて形成しており、図５（ｂ）では、丸鋸６の一部を示している。
【００５４】
図５（ｂ）に示すように、丸鋸６は、鋸歯６１，６２が左右に振り分けられたアサリを有しており、例えば、この丸鋸６を水平方向を軸として回転させる丸鋸盤等を用い、第１スライド構成体３１を水平方向に寝かせて回転させながら切削する。これにより、幅方向の中央部分３３１ａが、幅方向の両側部分３３１ｂよりも大径に形成された底面３３１を容易に形成することができる。なお、第２円周溝３３ｂ以外の円周溝３３についても、その形成方法は同じであるため説明は省略する。
【００５５】
図６は、図５（ａ）に示す第１ナット９１を、図５（ａ）に示す支持筒２に固定する方法を概念的に示す図である。
【００５６】
まず、第１ナット９１における、支持筒２に固定する固定面９１ａに接着剤を塗布した後、図６（ａ）に示すように、第１ねじ７１を、そのねじ部７１１の先端が第１ナット９１からやや突出する状態まで螺合させる。なお、第１ねじ７１のねじ部７１１の先端が第１ナット９１から突出しない状態まで螺合させた後、固定面９１ａに接着剤を塗布してもよい。
【００５７】
次に、図６（ｂ）に示すように、第１ねじ７１を第１孔２ａに螺合させ、第１ナット９１の固定面９１ａを支持筒２の外周面２２に所定時間接触させることで、第１ナット９１を支持筒２の外周面２２に固定する。これにより、第１ナット９１を、そのねじ溝が、第１孔２ａのねじ溝と連続する状態で支持筒２に固定することができる。なお、第２ナット９２を第１スライド構成体３１に固定する方法も同じであるため説明は省略する。
【００５８】
本発明は前述の実施の形態に限られることなく特許請求の範囲に記載した範囲で種々の変更を行うことができる。例えば、前記実施形態では、スライド部材３を、第１スライド構成体３１と第２スライド構成体３２とによって構成する態様を採用したが、スライド部材３を一体に構成してもよいし、３つ以上のスライド構成体によってスライド部材３を構成してもよい。また、前記実施形態では、図１および図２における前後左右方向を基準に説明しているが、本発明の展示スタンドには向きの決まりがない。すなわち、図１および図２における左右方向を前後方向として展示スタンド１を設置してもよいし、底板８の対角線と一致する方向を前後方向として設置してもよい。展示スタンド１の向きは、設置する場所や、第１ねじ７１等の見せ方等を考慮して調整されるものである。
【符号の説明】
【００５９】
１  展示スタンド
２  支持筒
２ａ  第１孔
３  スライド部材
３１  第１スライド構成体
３１ａ  第２孔
３２  第２スライド構成体
３３  円周溝
３３ａ  第１円周溝
３３ｂ  第２円周溝
３３ｃ  第３円周溝
３３ｄ  第４円周溝
３３１  底面
３３１ａ  中央部分
３３１ｂ  両側部分
４  置台
６  丸鋸
６１  鋸歯
６２  鋸歯
７１  第１ねじ
７２  第２ねじ
９１  第１ナット
９２  第２ナット
Ｐ  設置部
【図１】
2019025183.tif 000003
【図２】
2019025183.tif 000004
【図３】
2019025183.tif 000005
【図４】
2019025183.tif 000006
【図５】
2019025183.tif 000007
【図６】
2019025183.tif 000008